(57)【要約】      （修正有）【課題】商品が取り去られた後も、見栄えが良いだけでなく、商品情報をさらにアピールすることができ、さらに、他の商品との差別化をすることのできる商品展示装置を提供する。【解決手段】上面に商品が載置される載置部２１、及び、載置部から上方へ向けて立設された支持部２２、からなる商品載置台２０と、載置部上に配置され、載置部に対して相対移動可能であり、商品１０に関する情報が表示された商品情報表示部３０と、収縮することにより支持部と商品情報表示部との間隔を小さくすることができるように、支持部及び商品情報表示部により保持された弾性部材４０と、を備え、商品は、商品情報表示部を支持部側に付勢して弾性部材を収縮させるように、載置部上に載置され、載置部上に商品を載置していないときは、商品情報表示部を支持部側に付勢する力が解除される。【選択図】図３
0003113902.tif 000002
【実用新案登録請求の範囲】
【請求項１】
上面に商品が載置される載置部、及び、前記載置部から上方へ向けて立設された支持部、からなる商品載置台と、
前記載置部上に配置され、前記載置部に対して相対移動可能であり、前記商品に関する情報が表示された商品情報表示部と、
収縮することにより前記支持部と前記商品情報表示部との間隔を小さくすることができるように、前記支持部及び前記商品情報表示部により保持された弾性部材と、を備え、
前記商品は、前記商品情報表示部を前記支持部側に付勢して前記弾性部材を収縮させるように、前記載置部上に載置され、
前記載置部上に前記商品を載置していないときは、前記商品情報表示部を前記支持部側に付勢する力が解除されることを特徴とする商品展示装置。
【請求項２】
前記載置部から上方へ向けて立設され、前記商品情報表示部との間で前記商品を挟持するための押さえ部を備える請求項１記載の商品展示装置。
【請求項３】
前記載置部の上面を略水平方向に維持するように、前記商品載置台を懸架するための懸架部を備える請求項１又は請求項２記載の商品展示装置。
【請求項４】
前記懸架部は、載置部の底面を支持するように水平方向に延びる水平支持部を備え、前記水平支持部の先端は、載置部を貫通して上方へ向けて延びるように形成された前記押さえ部である請求項３記載の商品展示装置。
【請求項５】
前記弾性部材はバネである請求項１〜４のいずれか１項記載の商品展示装置。
【請求項６】
前記弾性部材は合成ゴムである請求項１〜４のいずれか１項記載の商品展示装置。
【請求項７】
前記弾性部材は発泡ウレタンである請求項１〜４のいずれか１項記載の商品展示装置。
【請求項８】
前記商品は靴である請求項１〜７のいずれか１項記載の商品展示装置。
【考案の詳細な説明】
【技術分野】
【０００１】
本考案は、靴などの商品をその上に載置して展示する商品展示装置に関する。
【背景技術】
【０００２】
靴などの商品を載置して展示する商品展示装置は、商品を展示することができるだけでなく、同時に商品の仕様やＰＯＰ（Ｐｏｉｎｔ  ｏｆ  Ｐｕｒｃｈａｓｅ）広告などの商品情報を表示することができる点で、販売促進に有益な展示手段である。
【０００３】
従来の商品展示装置としては、例えば、複数の商品をそれぞれ所定位置に展示し、各商品の展示位置に商品の仕様やＰＯＰ広告を表示した情報表示板を並設する展示棚や、一つの商品を載置する載置台を備え、その載置台の一部に商品情報を表示する商品展示装置があった。
【考案の開示】
【考案が解決しようとする課題】
【０００４】
しかしながら、上述の展示棚や商品展示装置においては、販売されたり、入れ替えされたりすることによって商品が取り去られると、商品が展示されていた場所があいてしまうため見栄えが良くなかった。これは、取り去られた商品が多くなるほど顕著であった。
【課題を解決するための手段】
【０００５】
上記課題を解決するために、本考案の商品展示装置においては、上面に商品が載置される載置部、及び、載置部から上方へ向けて立設された支持部、からなる商品載置台と、載置部上に配置され、載置部に対して相対移動可能であり、商品に関する情報が表示された商品情報表示部と、収縮することにより支持部と商品情報表示部との間隔を小さくすることができるように、支持部及び商品情報表示部により保持された弾性部材と、を備え、商品は、商品情報表示部を支持部側に付勢して弾性部材を収縮させるように、載置部上に載置され、載置部上に商品を載置していないときは、商品情報表示部を支持部側に付勢する力が解除されることを特徴としている。
【０００６】
上記商品展示装置は、載置部から上方へ向けて立設され、商品情報表示部との間で商品を挟持するための押さえ部を備えることが好ましい。
【０００７】
上記商品展示装置は、載置部の上面を略水平方向に維持するように、商品載置台を懸架するための懸架部を備えるとよい。
【０００８】
上記懸架部は、載置部の底面を支持するように水平方向に延びる水平支持部を備え、水平支持部の先端は、載置部を貫通して上方へ向けて延びるように形成された押さえ部とすることができる。
【０００９】
上記弾性部材としては、バネ、合成ゴム、発泡ウレタンを使用することができる。
【００１０】
上記商品展示装置は、商品としての靴に適用することができる。
【考案の効果】
【００１１】
本考案によると、商品が取り去られた後も、見栄えが良いだけでなく、商品情報をさらにアピールすることができることにより、他の商品との差別化をすることのできる商品展示装置を提供することができる。
【考案を実施するための最良の形態】
【００１２】
以下、本考案を、商品としての運動靴を展示する商品展示装置に適用した実施形態を図面を参照しつつ詳しく説明するが、本考案は、運動靴以外の履き物、履き物以外の商品にも適用することができる。
本実施形態に係る商品展示装置は、図１〜図４に示すように、運動靴（商品）１０が載置される商品載置台２０と、商品仕様やＰＯＰ広告などの商品情報を表示する商品情報表示部３０と、商品載置台２０及び商品情報表示部３０により保持された弾性部材４０と、を備えるものであって、それぞれの構成部材について以下に詳細に説明する。
【００１３】
商品載置台２０は、上面２１１上に運動靴１０が載置される長方形の平面形状を備える板状の載置部２１と、載置部２１の長辺２１２の一つから鉛直上方へ向けて立設された矩形の平面形状を備える板状の支持部２２と、からなり、載置部２１と支持部２２により略Ｌ字状の側面形状をなしている。商品載置台２０は、平面形状が矩形の板部材（例えばプラスチック）を折り曲げて形成しても良いし、載置部２１と支持部２２を互いに接着して構成してもよい。
【００１４】
載置部２１には、短辺に平行な方向において長辺２１３側の位置に、長辺２１２、２１３に平行な貫通した長孔２１５が穿設されている。支持部２２の前面２２１には、展示される運動靴１０の商品情報が表示されている。この商品情報は、例えば、運動靴１０の仕様（例えば、サイズ、メーカー名、色、材質、用途）やＰＯＰ広告であり、前面２２１への表示は、印刷により又は別途印刷したものを前面２２１に貼り付けることにより、表示することができる。
【００１５】
商品情報表示部３０は、矩形の平面形状を備える板状の部材からなり、支持部２２の前面２２１より面積の小さな前面３０１には、展示される運動靴１０の商品情報が表示されている。この商品情報は、前面２２１上と同様に、例えば運動靴１０の仕様やＰＯＰ広告であって、表示方法も前面２２１と同様である。なお、前面３０１に表示される商品情報と前面２２１に商品情報は同一であっても良いし、異なるものであっても良い。また、商品情報表示部３０と商品載置台２０は同一の面積を有していても良い。
【００１６】
商品情報表示部３０の背面３０２の下部には、略直方体形状の弾性部材４０の一端が接着固定されている。この弾性部材４０の他端は、載置部２１上において支持部２２と商品情報表示部３０とが略平行となるように、支持部２２の前面２２１の下部に接着固定されている。この弾性部材４０は、商品情報表示部３０を支持部２２側へ付勢することにより収縮し、付勢する力を解除することによりもとの長さにもどるような弾性を有しており、例えば発泡ウレタン、バネ、合成ゴムを用いることができる。すなわち、商品情報表示部３０及び支持部２２により弾性部材４０を保持する構成とすることにより、商品情報表示部３０は載置部２１に対して相対移動可能となって、商品情報表示部３０を商品載置台２０側へ付勢することにより、支持部２２と商品情報表示部３０との間隔を小さくすることができ、付勢力を解除すると商品情報表示部３０を載置部２１の長辺２１３側へ押し戻すことができる。
【００１７】
本実施形態における商品展示装置では、商品載置台２０を保持し、かつ、商品の売り場の壁や商品棚に対して商品載置台２０を懸架するための懸架部５０を備えている。この懸架部５０は、例えば、棒状の金属部材の折り曲げ加工や硬性のプラスチックの成形により、形成することができ、載置部２１の上面２１１を略水平方向（図３の左右方向）に維持するように商品載置台２０を保持、懸架することができる。懸架部５０は、図３の例では、係止部５１、５２と、水平支持部５３、５４と、押さえ部５５と、を備える。係止部５１、５２は、商品の売り場の壁６０に固定された被係止部６１に掛け止められる逆Ｕ字状の２本の棒状部分である。水平支持部５３、５４は、係止部５１、５２の端部から水平方向に延び、載置部２１の底面２１６を支持するようにそれぞれ延びる２本の平行棒状部分である。押さえ部５５は、水平支持部５３、５４の端部から鉛直方向に延びた棒状部分の両先端を連結したものであって、水平支持部５３、５４上に載置部２１を載置したときは、その連結部分５５１は底面２１６側から上面２１１側へ長孔２１５を貫通している。
【００１８】
長孔２１５は、載置部２１上に運動靴１０を載置したときに、弾性部材４０を収縮させつつ商品情報表示部３０を支持部２２側へ付勢させた状態で、押さえ部５５と商品情報表示部３０との間で運動靴１０を挟持できる位置に設けられている。なお、載置部２１に長孔２１５を設けずに、長孔２１５の位置に載置部２１の上面２１１から上方に立設される凸部を形成して、この凸部と商品情報表示部３０との間で運動靴１０を挟持するようにしてもよい。また、商品情報表示部３０を支持部２２側へ付勢した状態で、前面３０１に当接するように運動靴１０を配置し、運動靴１０の自重により弾性部材４０の収縮状態を維持させても良い。さらに、載置部２１の上面２１１の少なくとも表面を摩擦係数の大きな部材（例えばゴム）で構成すると、弾性部材４０の収縮状態を維持することが容易となるため好ましい。
【００１９】
以上の構成によれば、運動靴１０を展示する場合には、商品情報表示部３０を支持部２２側へ付勢して弾性部材４０を収縮させた状態で、商品情報表示部３０の前面３０１と押さえ部５５（連結部分５５１）とで挟持させるように、運動靴１０を載置部２１上に載置する（図１、図３の実線）。これにより、展示中の運動靴１０の落下を防止することができる。これに対して、載置部２１上に運動靴１０が載置されていない場合は、商品情報表示部３０を支持部２２側へ付勢する力が解除されているため、弾性部材４０の弾性により、商品情報表示部３０は、運動靴１０が載置されている場合と比べて長辺２１３側に配置される（図３の鎖線、図４）。すなわち、運動靴１０が載置されていた商品載置台２０から運動靴１０を取り出すと、弾性部材４０の弾性により、商品情報表示部３０が手前側（長辺２１３側）へ押し出される。よって、商品載置台２０から運動靴１０が取り去られた後も、商品載置台２０の見栄えを維持することができ、さらに、商品情報表示部３０が押し出されることにより、顧客に対して商品情報をアピールすることができ、他の商品との差別化をすることができる。
【００２０】
本考案について上記実施形態を参照しつつ説明したが、本考案は上記実施形態に限定されるものではなく、改良の目的または本考案の思想の範囲内において改良または変更が可能である。
【図面の簡単な説明】
【００２１】
【図１】（ａ）は本考案の実施形態に係る商品展示装置に商品が載置された状態を示す斜視図であり、（ｂ）はその平面図である。
【図２】本考案の実施形態に係る商品展示装置の構成を示す分解斜視図である。
【図３】図１（ｂ）のＩＩＩ−ＩＩＩ線に沿った断面図である。
【図４】本考案の実施形態に係る商品展示装置に商品が載置されていない状態を示す斜視図である。
【符号の説明】
【００２２】
１０  運動靴（商品）
２０  商品載置台
２１  載置部
２２  支持部
３０  商品情報表示部
４０  弾性部材
５０  懸架部
５３  水平支持部
５５  押さえ部
【図１】
0003113902.tif 000003
【図２】
0003113902.tif 000004
【図３】
0003113902.tif 000005
【図４】
0003113902.tif 000006